(57)【特許請求の範囲】
【請求項１】
インクを噴射するヘッド部と、前記ヘッド部を駆動制御する駆動制御部とを有し、前記駆動制御部には、コネクタに接続したフレキシブル配線が接続されているインクジェットヘッドであり、
前記駆動制御部及び前記フレキシブル配線を覆うカバー部材を備え、
前記カバー部材にはコネクタが組み付けられており、
前記カバー部材は複数に分割して組付可能であることを特徴とするインクジェットヘッド。
【請求項２】
前記分割して組付可能なカバー部材は、回動機構または折畳機構により開閉可能であることを特徴とする請求項１に記載のインクジェットヘッド。
【請求項３】
前記カバー部材と前記ヘッド部との継ぎ目を凹凸係合させたことを特徴とする請求項１または請求項２に記載のインクジェットヘッド。
【発明の詳細な説明】
【０００１】
この発明は、電極に電圧を印加することによりインクチャネルからインクを噴射するインクジェットヘッドに関する。
【０００２】
【従来の技術】
従来のインクジェットヘッドには、例えば圧電体を含む部材でインクチャネルを形成したヘッドユニットを有し、圧電体を駆動する電極に電圧を印加することにより、インクチャネルからインクを噴射するものがある。このようなインクジェットヘッドでは、ヘッドユニットの配線部を筒状のカバーで覆って保護している。
【０００３】
【発明が解決しようとする課題】
このようにヘッドユニットの配線部を筒状のカバーで覆う構造では、筒状のカバーを組み付ける時に配線が邪魔になり、作業が面倒で、組立性も悪い。また、噴射するインクがカバーとヘッドユニットのヘッド部との継ぎ目の密閉性が悪く、継ぎ目の部分からインクが流入し、配線部等に付着して耐久性が低下するなどの問題がある。
【０００４】
この発明は、かかる実情に鑑みてなされたもので、組立性を向上させ、また密閉性を向上させ、さらに分解が容易でリサイクル性が良いインクジェットヘッドを提供することを目的としている。
【０００５】
【課題を解決するための手段】
前記課題を解決し、かつ目的を達成するために、この発明は、以下のように構成した。
【０００６】
請求項１に記載の発明は、『インクを噴射するヘッド部と、前記ヘッド部を駆動制御する駆動制御部とを有し、前記駆動制御部には、コネクタに接続したフレキシブル配線が接続されているインクジェットヘッドであり、
前記駆動制御部及び前記フレキシブル配線を覆うカバー部材を備え、
前記カバー部材にはコネクタが組み付けられており、
前記カバー部材は複数に分割して組付可能であることを特徴とするインクジェットヘッド。』である。
【０００７】
この請求項１に記載の発明によれば、ヘッドユニットを覆うカバー部材は複数に分割して組付可能であり、カバー部材を組み付ける時に配線等が邪魔にならず、作業が容易で、組立性が向上する。また、カバー部材が複数に分割されており、インクジェットヘッドの分解が容易でリサイクル性が良い。
【０００８】
請求項２に記載の発明は、『前記分割して組付可能なカバー部材は、回動機構または折畳機構により開閉可能であることを特徴とする請求項１に記載のインクジェットヘッド。』である。
【０００９】
この請求項２に記載の発明によれば、分割して組付可能なカバー部材は、簡単な機構で、かつ確実に開閉することができる。
【００１２】
請求項３に記載の発明は、『前記カバー部材と前記ヘッド部との継ぎ目を凹凸係合させたことを特徴とする請求項１または請求項２に記載のインクジェットヘッド。』である。
【００１３】
この請求項３に記載の発明によれば、カバー部材とヘッド部との継ぎ目を凹凸係合させることで、継ぎ目の密閉性が向上し、継ぎ目の部分からインクが流入することが防止でき、配線部等に付着することがなく耐久性が向上する。
【００１４】
【発明の実施の形態】
以下、この発明のインクジェットヘッドの実施の形態を図面に基づいて説明する。
【００１５】
図１はインクジェットヘッドの使用状態を示す平面図、図２はインクジェットヘッドの平面図、図３はインクジェットヘッドの側面図、図４はインクジェットヘッドの正面図、図５はカバー部材を閉じた状態のインクジェットヘッドの側面図、図６はカバー部材を開いた状態のインクジェットヘッドの側面図、図７はカバー部材の支持部の拡大図である。
【００１６】
この実施の形態のインクジェットヘッド１は、ヘッド固定手段２を介してプリンタ本体３に固定されている。インクジェットヘッド１には、インク受口部４が設けられ、このインク受口部４にインク供給管５が接続され、インク供給管５からインク受口部４を介してインクが供給される。また、インクジェットヘッド１には、コネクタ６が設けられ、このコネクタ６に駆動制御配線７のコネクタ８が接続され、駆動制御配線７からコネクタ８，６を介して駆動制御信号が伝達される。インクジェットヘッド１は、駆動制御信号に基づき駆動され、インクチャネルからインク滴９を噴射して記録媒体１０に記録する。
【００１７】
インクジェットヘッド１は、図６に示すように、圧電体を含む部材でインクチャネルを形成したヘッドユニット２０を有している。ヘッドユニット２０は、インクを噴射するヘッド部２１と、ヘッド部２１を駆動制御する駆動制御部２２とを有している。駆動制御部２２には、コネクタ６に接続したフレキシブル配線２３が接続されている。
【００１８】
インクジェットヘッド１には、ヘッドユニット２０を覆うカバー部材３０，３１が備えられ、カバー部材３０，３１はヘッドユニット２０のヘッド部２１に開閉可能に設けられ、このカバー部材３０，３１は複数に分割して組付可能である。
【００１９】
この実施の形態では、カバー部材３０，３１が回動機構を介してヘッドユニット２０のヘッド部２１に開閉可能に設けられ、回動機構は、支持軸４０，４１を介してカバー部材３０，３１がヘッド部２１に開閉可能である。
【００２０】
この実施の形態では、カバー部材３０，３１の内側にコネクタ６とフレキシブル配線２３が組み付けられ、コネクタ６とフレキシブル配線２３はカバー部材３０，３１と一体に開閉する。カバー部材３０，３１を図６に示すように、開いた状態でコネクタ６とフレキシブル配線２３に組み付け、また駆動制御部２２の組み付けを行なうことで、カバー部材３０，３１を組み付ける時に配線等が邪魔にならず、組立性が向上する。
【００２１】
また、ヘッドユニット２０を覆うカバー部材３０，３１は複数に分割して組付可能であり、カバー部材３０，３１を組み付ける時に配線等が邪魔にならず、作業が容易で、組立性が向上する。また、カバー部材３０，３１が複数に分割されており、インクジェットヘッド１の分解が容易でリサイクル性が良い。
【００２２】
また、カバー部材３０，３１とヘッドユニット２０のヘッド部２１との継ぎ目には、図５及び図７に示すように、カバー部材３０，３１に段部３０ａ，３１ａを形成し、ヘッド部２１には、段部３０ａ，３１ａと対向して段部２１ａ，２１ａを形成している。カバー部材３０，３１を閉じた状態では、段部３０ａ，３１ａと対向する段部２１ａ，２１ａとが凹凸係合する。この継ぎ目の凹凸係合により継ぎ目の密閉性が向上し、継ぎ目の部分からインクが流入することが防止でき、配線部等に付着することがなく耐久性が向上する。
【００２３】
この継ぎ目の凹凸係合は、図８に示すように、カバー部材３０，３１の支持基部に段部３０ｂ，３１ｂを形成し、ヘッド部２１の側部には、段部３０ｂ，３１ｂと対向して段部２１ｂ，２１ｂを形成している。カバー部材３０，３１を閉じた状態では、段部３０ｂ，３１ｂと対向する段部２１ｂ，２１ｂとが凹凸係合する。この継ぎ目の凹凸係合により継ぎ目の密閉性が向上し、継ぎ目の部分からインクが流入することが防止でき、配線部等に付着することがなく耐久性が向上する。
【００２４】
この実施の形態では、カバー部材３０，３１との２分割であるが、これに限定されず、形状、用途によって分割数を最適化するのが望ましい。
【００２５】
また、カバー部材３０，３１は、図９に示すような折畳機構により開閉可能に構成することができる。この実施の形態では、カバー部材３０，３１が樹脂等の可撓性部材で形成され、一端部３０ｃ，３１ｃをヘッド部２１に固定し、薄く形成した部分３０ｄ，３１ｄで折り畳み可能になっている。カバー部材３０，３１は、薄く形成した部分３０ｄ，３１ｄを折ることで閉じ（図９（ａ））、薄く形成した部分３０ｄ，３１ｄの折りを解除することで開き（図９（ｂ））、ヘッド部２１に開閉可能である。
【００２６】
【発明の効果】
前記したように、請求項１に記載の発明では、ヘッドユニットを覆うカバー部材は複数に分割して組付可能であり、カバー部材を組み付ける時に配線等が邪魔にならず、作業が容易で、組立性が向上する。また、カバー部材が複数に分割されており、インクジェットヘッドの分解が容易でリサイクル性が良い。
【００２７】
請求項２に記載の発明では、分割して組付可能なカバー部材は、簡単な機構で、かつ確実に開閉することができる。
【００２９】
請求項３に記載の発明では、カバー部材とヘッド部との継ぎ目を凹凸係合させることで、継ぎ目の密閉性が向上し、継ぎ目の部分からインクが流入することが防止でき、配線部等に付着することがなく耐久性が向上する。
【図面の簡単な説明】
【図１】インクジェットヘッドの使用状態を示す平面図である。
【図２】インクジェットヘッドの平面図である。
【図３】インクジェットヘッドの側面図である。
【図４】インクジェットヘッドの正面図である。
【図５】カバー部材を閉じた状態のインクジェットヘッドの側面図である。
【図６】カバー部材を開いた状態のインクジェットヘッドの側面図である。
【図７】カバー部材の支持部の拡大図である。
【図８】カバー部材の支持部の他の実施の形態の拡大図である。
【図９】カバー部材の支持部の他の実施の形態の拡大図である。
【符号の説明】
１  インクジェットヘッド
２０  ヘッドユニット
３０，３１  カバー部材
【図１】
0004702580.tif 000002
【図２】
0004702580.tif 000003
【図３】
0004702580.tif 000004
【図４】
0004702580.tif 000005
【図５】
0004702580.tif 000006
【図６】
0004702580.tif 000007
【図７】
0004702580.tif 000008
【図８】
0004702580.tif 000009
【図９】
0004702580.tif 000010